(57)【特許請求の範囲】
【請求項１】
内燃機関の排気通路に設けられる触媒と、
内燃機関の燃焼室と前記触媒との間の排気通路に燃料を供給する供給手段と、
前記供給手段を制御する制御手段と、
前記触媒よりも上流の排気の温度を検出する上流側温度センサと、
前記触媒よりも下流の排気の温度を検出する下流側温度センサと、
を備えた内燃機関の制御装置において、
前記供給手段により供給される燃料が前記触媒で反応する量と相関関係にある値を検出する検出手段と、
前記検出手段により検出される値に基づいて燃料の蒸留性状を判定する判定手段と、
を備え、
前記検出手段は、前記供給手段により燃料が供給されているときの前記触媒よりも上流の排気の温度と前記触媒よりも下流の排気の温度とに基づいて、前記供給手段により供給される燃料が前記触媒で反応する量と相関関係にある値を検出することを特徴とする内燃機関の制御装置。
【請求項２】
前記検出手段は、前記触媒よりも下流の排気の温度と前記触媒よりも上流の排気の温度との差の最大値を、前記供給手段により供給される燃料が前記触媒で反応する量と相関関係にある値として検出することを特徴とする請求項１に記載の内燃機関の制御装置。
【請求項３】
前記検出手段は、前記触媒よりも下流の排気の温度と前記触媒よりも上流の排気の温度との差から求まる前記触媒の温度の上昇度合いを、前記供給手段により供給される燃料が前記触媒で反応する量と相関関係にある値として検出することを特徴とする請求項１に記載の内燃機関の制御装置。
【請求項４】
前記検出手段は、前記触媒よりも下流の排気の温度と前記触媒よりも上流の排気の温度との差から求まる前記触媒の温度が上昇している時間を、前記供給手段により供給される燃料が前記触媒で反応する量と相関関係にある値として検出することを特徴とする請求項１に記載の内燃機関の制御装置。
【請求項５】
前記判定手段は、前記相関関係にある値と前記蒸留性状との関係を記憶しており、該記
憶された関係に前記相関関係にある値を当てはめて前記蒸留性状を判定することを特徴とする請求項１から４のいずれか１項に記載の内燃機関の制御装置。
【発明の詳細な説明】
【技術分野】
【０００１】
本発明は、内燃機関の制御装置に関する。
【背景技術】
【０００２】
内燃機関の気筒内に燃料を主噴射した後に行なう後噴射の時期を変化させ、排気が触媒を通過した後の排気温度の上昇量が所定値を超える後噴射の時期を検出し、この検出した時期に基づいて燃料の着火性を判定する技術が知られている（例えば、特許文献１参照。）。
【０００３】
ここで、筒内に燃料を噴射すると、比較的気化し難い成分も気化してしまう。また、燃料が触媒で反応する量は、燃料の気化率に影響を受ける。従って、後噴射による判定では、燃料の蒸留性状が異なっていても触媒で反応する量に差が生じ難くなるので、排気温度に差が生じ難くなるため、蒸留性状を判定する精度が低くなる虞がある。
【先行技術文献】
【特許文献】
【０００４】
【特許文献１】特開２００９−２１５９８６号公報
【特許文献２】特開２０００−３５６１６３号公報
【発明の概要】
【発明が解決しようとする課題】
【０００５】
本発明は、上記したような問題点に鑑みてなされたものであり、その目的は、燃料の蒸留性状をより正確に判定することにある。
【課題を解決するための手段】
【０００６】
上記課題を達成するために本発明による内燃機関の制御装置は、以下の手段を採用した。すなわち、本発明による内燃機関の制御装置は、
内燃機関の排気通路に設けられる触媒と、
内燃機関の燃焼室と前記触媒との間の排気通路に燃料を供給する供給手段と、
前記供給手段を制御する制御手段と、
を備えた内燃機関の制御装置において、
前記供給手段により供給される燃料が前記触媒で反応する量と相関関係にある値を検出する検出手段と、
前記検出手段により検出される値に基づいて燃料の蒸留性状を判定する判定手段と、
を備えることを特徴とする。
【０００７】
ここで、排気通路内に燃料を供給した場合には、燃焼室内に燃料を供給した場合と比較して、気化し難い。すなわち、供給手段により燃料を供給すると、燃焼室内に燃料を供給したときと比較して、液状のまま触媒へ到達する燃料量がより多くなる。そして、例えばＴ９０（９０％蒸留温度）の低い燃料は、排気通路へ供給された後すぐに気化してしまい、触媒を通り抜ける割合が高くなる。一方、Ｔ９０の高い燃料は、排気通路へ供給されても気化し難いため、液滴のまま触媒に到達する割合が高くなるので、触媒上で局所的に反応して該触媒の温度を上昇させる。このように、燃料の蒸留性状と、燃料が触媒で反応する量と、には相関関係があるため、燃料が触媒で反応する量に基づいて蒸留性状を判定することができる。そして、燃料を排気中に直接供給することにより、気化し難い成分が気化してしまうことを抑制できるため、蒸留性状の判定精度を高めることができる。
【０００８】
本発明においては、前記触媒よりも上流の排気の温度を検出する上流側温度センサと、
前記触媒よりも下流の排気の温度を検出する下流側温度センサと、
を備え、
前記検出手段は、前記供給手段により燃料が供給されているときの前記触媒よりも上流の排気の温度と前記触媒よりも下流の排気の温度とに基づいて、前記供給手段により供給される燃料が前記触媒で反応する量と相関関係にある値を検出することができる。
【０００９】
ここで、燃料が触媒で反応すると、その分、排気の温度が上昇する。すなわち、触媒を通過した後の排気温度と触媒を通過する前の排気温度との差が、燃料の蒸留性状に応じて変わるため、この排気温度の差を検出することで、蒸留性状を判定することができる。
【００１０】
なお、前記検出手段は、前記触媒よりも下流の排気の温度と前記触媒よりも上流の排気の温度との差の最大値を、前記供給手段により供給される燃料が前記触媒で反応する量と相関関係にある値として検出することができる。
【００１１】
例えばＴ９０の高い燃料ほど、液滴のまま触媒に到達する燃料が多くなるため、局所的にリッチとなるので、触媒よりも下流の排気の温度と触媒よりも上流の排気の温度との差が大きくなる。すなわち、触媒よりも下流の排気の温度と触媒よりも上流の排気の温度との差の最大値が大きいほど、Ｔ９０の高い燃料であると判定できる。
【００１２】
また、前記検出手段は、前記触媒よりも下流の排気の温度と前記触媒よりも上流の排気の温度との差から求まる前記触媒の温度の上昇度合いを、前記供給手段により供給される燃料が前記触媒で反応する量と相関関係にある値として検出することができる。
【００１３】
例えばＴ９０の低い燃料ほど、気化した状態で触媒に到達する燃料が多くなるため、触媒よりも下流の排気の温度と触媒よりも上流の排気の温度との差の上昇度合いが大きくなる。一方、例えばＴ９０の高い燃料ほど、液滴のまま触媒に到達する燃料が多くなるため、局所的にリッチとなるので、触媒よりも下流の排気の温度と触媒よりも上流の排気の温度との差の上昇度合いが小さくなる。すなわち、触媒の温度の上昇度合いが小さいほど、Ｔ９０の高い燃料であると判定できる。この温度の上昇度合いは、燃料供給開始から規定の期間における温度の上昇量としても良い。また、触媒よりも下流側と上流側との温度差の積分値が規定の値となるまでの期間は、触媒の温度の上昇度合いと相関関係にあるため、この期間を前記相関関係にある値としても良い。
【００１４】
また、前記検出手段は、前記触媒よりも下流の排気の温度と前記触媒よりも上流の排気の温度との差から求まる前記触媒の温度が上昇している時間を、前記供給手段により供給される燃料が前記触媒で反応する量と相関関係にある値として検出することができる。
【００１５】
例えばＴ９０の高い燃料ほど、排気通路の壁面に付着する燃料が多くなるので、燃料を供給してから、触媒で反応が完了するまでの時間が長くなる。このため、触媒の温度が上昇している時間が長くなる。すなわち、触媒の温度が上昇している時間が長いほど、Ｔ９０の高い燃料であると判定できる。この温度が上昇している時間は、触媒よりも下流側と上流側との温度差が規定値以上となっている期間としても良い。また、触媒よりも下流側と上流側との温度差の積分値が、第１規定値から第２規定値となるまでの期間は、触媒の温度が上昇している時間と相関関係にあるため、この期間を前記相関関係にある値としても良い。
【００１６】
本発明においては、前記判定手段は、前記相関関係にある値と前記蒸留性状との関係を記憶しており、該記憶された関係に前記相関関係にある値を当てはめて前記蒸留性状を判定することができる。
【００１７】
このように、前記相関関係にある値と燃料の蒸留性状との関係を記憶しておけば、簡易に燃料の蒸留性状を得ることができる。
【発明の効果】
【００１８】
本発明によれば、燃料の蒸留性状をより正確に判定することができる。
【図面の簡単な説明】
【００１９】
【図１】実施例に係る内燃機関とその排気系の概略構成を示す図である。
【図２】排気温度の推移を示したタイムチャートである。
【図３】触媒を通過するときの排気温度の上昇量ΔＴ１の推移を示したタイムチャートである。
【図４】噴射弁から燃料を噴射したときの上流側温度センサ及び下流側温度センサの検出値の推移を示すタイムチャートである。
【図５】下流側温度センサと上流側温度センサとの検出値の差（温度差ΔＴ１＝Ｔ１−ＴＢ）の推移を示すタイムチャートである。
【図６】最大温度差ΔＴ１ＭＡＸとＴ９０との関係を示した図である。
【図７】実施例１に係る燃料の蒸留性状を検出するフローを示したフローチャートである。
【図８】下流側温度センサと上流側温度センサとの検出値の差（温度差ΔＴ１＝Ｔ１−ＴＢ）の推移を示すタイムチャートである。
【図９】時刻ＴＩ１０と時刻ＴＩＳとの差（ＴＩ１０−ＴＩＳ）と、Ｔ９０との関係を示した図である。
【図１０】実施例２に係る燃料の蒸留性状を検出するフローを示したフローチャートである。
【図１１】下流側温度センサと上流側温度センサとの検出値の差（温度差ΔＴ１＝Ｔ１−ＴＢ）の推移を示すタイムチャートである。
【図１２】時刻ＴＩ９０と時刻ＴＩ１０との差（ＴＩ９０−ＴＩ１０）と、Ｔ９０との関係を示した図である。
【図１３】実施例３に係る燃料の蒸留性状を検出するフローを示したフローチャートである。
【発明を実施するための形態】
【００２０】
以下、本発明に係る内燃機関の制御装置の具体的な実施態様について図面に基づいて説明する。
【実施例１】
【００２１】
図１は、本実施例に係る内燃機関とその排気系の概略構成を示す図である。図１に示す内燃機関１は、４つの気筒を有するディーゼル機関である。なお、本実施例及びこれ以降の実施例は、ガソリン機関であっても適用できる。
【００２２】
内燃機関１には、排気通路２が接続されている。この排気通路２の途中には、触媒３が設けられている。触媒３は、燃料を酸化させることができる触媒であれば良く、例えば酸化触媒、三元触媒、またはＮＯx触媒である。
【００２３】
また、触媒３よりも上流の排気通路２には、排気中に燃料（軽油）を噴射する噴射弁４が取り付けられている。噴射弁４は、後述するＥＣＵ１０からの信号により開弁して排気中へ燃料を噴射する。噴射弁４から噴射される燃料は、内燃機関１の燃焼室に供給される燃料と同じものである。なお、本実施例においては噴射弁４が、本発明における供給手段に相当する。
【００２４】
噴射弁４よりも下流で且つ触媒３よりも上流の排気通路２には、排気の温度を測定する上流側温度センサ５が取り付けられている。また、触媒３よりも下流の排気通路２には排気の温度を測定する下流側温度センサ６が取り付けられている。
【００２５】
以上述べたように構成された内燃機関１には、該内燃機関１を制御するための電子制御ユニットであるＥＣＵ１０が併設されている。このＥＣＵ１０は、内燃機関１の運転条件や運転者の要求に応じて内燃機関１の運転状態を制御するユニットである。
【００２６】
また、ＥＣＵ１０には、上記センサの他、運転者がアクセルペダル１１を踏み込んだ量に応じた電気信号を出力し機関負荷を検知するアクセル開度センサ１２、および機関回転数を検知するクランクポジションセンサ１３が電気配線を介して接続され、これら各種センサの出力信号がＥＣＵ１０に入力されるようになっている。一方、ＥＣＵ１０には、噴射弁４が電気配線を介して接続されており、該ＥＣＵ１０により噴射弁４の開閉時期が制御される。
【００２７】
例えば触媒３が吸蔵還元型ＮＯx触媒である場合には、ＥＣＵ１０は、触媒３に吸蔵さ
れているＮＯx量が閾値を超えたときに噴射弁４から触媒３へ燃料を供給してＮＯxを還元させる。また、触媒３の硫黄被毒回復を行うためにＥＣＵ１０は、噴射弁４から触媒３へ燃料を供給してＮＯxを還元させる。さらに、パティキュレートフィルタを備えている場
合には、ＥＣＵ１０は、該フィルタに捕集されているＰＭを除去するために触媒３へ燃料を供給して該フィルタの温度を上昇させる。
【００２８】
そして本実施例では、上流側温度センサ５及び下流側温度センサ６から得られる排気温度に基づいて燃料の蒸留性状（Ｔ９０）を判定する。
【００２９】
ここで、図２は、排気温度の推移を示したタイムチャートである。実線は、触媒３よりも上流側の排気温度ＴＢを示し、一点鎖線は触媒３よりも下流側の排気温度であってＴ９０が比較的低い場合の排気温度Ｔ１Ｌを示し、二点鎖線は触媒３よりも下流の排気温度であってＴ９０が比較的高い場合の排気温度Ｔ１Ｈを示している。ＴＩＳは、噴射弁４からの燃料噴射が開始される時刻を示している。
【００３０】
また、図３は、触媒３を通過するときの排気温度の上昇量ΔＴ１の推移を示したタイムチャートである。一点鎖線は触媒３よりも下流側の排気温度であってＴ９０が比較的低い場合の排気温度の上昇量（ΔＴ１Ｌ＝Ｔ１Ｌ−ＴＢ）を示し、二点鎖線は触媒３よりも下流の排気温度であってＴ９０が比較的高い場合の排気温度の上昇量（ΔＴ１Ｈ＝Ｔ１Ｈ−ＴＢ）を示している。
【００３１】
ここで、Ｔ９０の低い燃料は、噴射弁４から噴射された後にすぐに気化してしまうため、触媒３をすり抜ける割合が多くなる。このため、触媒３にて反応しない燃料量が多くなるので、該触媒３の温度の上昇量が小さくなる。
【００３２】
一方、Ｔ９０の高い燃料は、噴射弁４から噴射されてもすぐには気化しないため、液滴のまま触媒３に到達する。このため、局所的にリッチ空燃比となるので該触媒３の温度の上昇量が大きくなる。
【００３３】
このように、Ｔ９０に応じて触媒３の温度の上昇量が変わるため、該触媒３の温度の上昇量に着目することによりＴ９０を求めることができる。なお、触媒３の温度の上昇量は、該触媒３から流出する排気の温度と、該触媒３に流入する排気の温度と、の差に表れるため、この温度差に基づいてＴ９０を求めることができる。
【００３４】
ここで、内燃機関１の運転状態が一定であっても、燃料性状、環境温度、吸入空気量などの外乱により、燃焼状態は変化する。このため、例えば同じ燃料、同じ機関負荷の場合であっても、排気温度が変化するため、触媒３の温度のみを見るだけでは燃料の蒸留性状の判定は困難である。また、触媒３に流入する排気の温度に応じて、触媒３から流出する排気の温度が変化するため、該触媒３から流出する排気の温度のみを見るだけでは燃料の蒸留性状の判定は困難である。これに対し、本実施例では、触媒３から流出する排気の温度と、該触媒３に流入する排気の温度と、の差に基づいて蒸留性状を判定する。すなわち、外乱があったとしても、温度差によれば、触媒３に流入する排気の温度の変動の影響を除去することができるため、触媒３での温度上昇量のみを見ることができる。
【００３５】
そして、本実施例では、温度差ΔＴ１の最大値（最大温度差ΔＴ１ＭＡＸ）を検出し、該最大温度差ΔＴ１ＭＡＸに基づいてＴ９０を判定する。すなわち、Ｔ９０が高いほど、液滴のまま触媒３に到達する燃料量が多くなるため、触媒３内では局所的にリッチになる箇所が多くなる。これにより、触媒３の温度の上昇量が大きくなるため、最大温度差ΔＴ１ＭＡＸも大きくなる。この関係に従えば、最大温度差ΔＴ１ＭＡＸからＴ９０を判定することができる。
【００３６】
図４は、噴射弁４から燃料を噴射したときの上流側温度センサ５及び下流側温度センサ６の検出値の推移を示すタイムチャートである。実線は下流側温度センサ６の検出値Ｔ１であり、一点鎖線は上流側温度センサ５の検出値ＴＢである。ＴＩＳは、噴射弁４からの燃料噴射が開始される時刻を示している。下流側温度センサ６の検出値Ｔ１及び上流側温度センサ５の検出値ＴＢは、夫々、外乱の影響を受けている。このため、下流側温度センサ６の検出値Ｔ１のみでは、排気温度の上昇量、すなわち、触媒３で反応する燃料量を検出することは困難となる。
【００３７】
また、図５は、下流側温度センサ６と上流側温度センサ５との検出値の差（温度差ΔＴ１＝Ｔ１−ＴＢ）の推移を示すタイムチャートである。このように、温度差ΔＴ１＝Ｔ１−ＴＢを算出することにより、外乱の影響を除去することができる。温度差ΔＴ１は、噴射弁４からの燃料噴射開始から徐々に大きくなり始め、最大温度差ΔＴ１ＭＡＸに達し、その後は徐々に小さくなる。そして、噴射弁４から噴射された燃料が全て触媒３で反応するか又は触媒３をすり抜けるかすると、温度差ΔＴ１は燃料噴射を開始する前と同じになる。そして、最大温度差ΔＴ１ＭＡＸは、触媒３で反応する燃料量が多くなるほど、大きくなる。
【００３８】
図６は、最大温度差ΔＴ１ＭＡＸとＴ９０との関係を示した図である。この関係は予め実験等により求めてＥＣＵ１０に記憶させておく。図６に示されるように、最大温度差ΔＴ１ＭＡＸが大きくなるほどＴ９０が高くなるという関係がある。検出される最大温度差ΔＴ１ＭＡＸを図６に代入することにより、蒸留性状Ｔ９０を検出することができる。
【００３９】
図７は、本実施例に係る燃料の蒸留性状を検出するフローを示したフローチャートである。本ルーチンは所定の時間毎に繰り返し実行される。
【００４０】
ステップＳ１０１では、蒸留性状を判定する前提条件が成立しているか否か判定される。例えば、内燃機関１の運転状態に応じて最大温度差ΔＴ１ＭＡＸが変化するため、夫々の運転状態に応じてＴ９０を判定しようとすると、最大温度差ΔＴ１ＭＡＸとＴ９０との関係を記憶しておく量が膨大になる。また、定常状態でなければ、最大温度差ΔＴ１ＭＡＸとＴ９０との関係が変わるため、蒸留性状の判定が困難となる。これらの理由により、本実施例では、アイドル状態のときに限って蒸留性状の判定を行うようにする。すなわち、アイドル状態であれば、内燃機関１の運転状態は一定であり、且つこの状態が長期間継
続する可能性が高い。このため、本ステップではアイドル状態であるか否か判定する。他にも、例えば暖機が完了していることなどを条件に加えても良い。
【００４１】
ステップＳ１０１で肯定判定がなされた場合にはステップＳ１０２へ進み、否定判定がなされた場合には蒸発性状の判定をすることができない状態であるため本ルーチンを一旦終了させる。
【００４２】
ステップＳ１０２では、触媒３に流入する排気の温度を測定する。すなわち、上流側温度センサ５の検出値ＴＢを取得する。
【００４３】
ステップＳ１０３では、噴射弁４からの燃料噴射を開始する。このときの燃料噴射量は、Ｔ９０の判定に必要となる量として予め設定されている。なお、本実施例ではステップＳ１０３を処理するＥＣＵ１０が、本発明における制御手段に相当する。
【００４４】
ステップＳ１０４では、触媒３よりも下流の排気の温度を測定する。すなわち、下流側温度センサ６の検出値Ｔ１を取得する。
【００４５】
ステップＳ１０５では、触媒３の下流側と上流側との温度差ΔＴ１を算出する。すなわち、ステップＳ１０４で取得される下流側温度センサ６の検出値Ｔ１から、ステップＳ１０２で取得される上流側温度センサ５の検出値ＴＢを減じる。
【００４６】
ステップＳ１０６では、ステップＳ１０５で算出される温度差ΔＴ１の最大値、すなわち最大温度差ΔＴ１ＭＡＸと、図６との関係に従って、Ｔ９０を算出する。なお、本実施例では最大温度差ΔＴ１ＭＡＸを算出するＥＣＵ１０が、本発明における検出手段に相当する。また、本実施例ではＴ９０を算出するＥＣＵ１０が、本発明における判定手段に相当する。このように、本実施例では、触媒３よりも下流の排気の温度と触媒３よりも上流の排気の温度との差の最大値を、噴射弁４から供給される燃料が触媒で反応する量と相関関係にある値として検出し、該値に基づいて燃料の蒸留性状を判定している。
【００４７】
ステップＳ１０７では、Ｔ９０に応じて最適な噴射制御マップが選択される。このマップに従って燃焼室へ供給する燃料が制御される。
【００４８】
このように、噴射弁４から噴射される燃料による触媒３の温度上昇量に基づいて、内燃機関１の燃焼室へ供給する燃料を制御することで、燃料の蒸留性状に応じた内燃機関１の制御が可能となる。
【００４９】
なお、本実施例は、蒸留性状の判定を行うために噴射弁４から燃料を噴射しているが、ＮＯx触媒に吸蔵されているＮＯx還元時、ＮＯx触媒の硫黄被毒回復時、フィルタの再生
時など、燃料噴射が行われるときに合わせて蒸留性状を判定しても良い。また、本実施例では触媒３の下流側の温度を用いているが、触媒３の温度を直接測定できる場合には、該触媒３の温度を用いても良い。
【００５０】
以上説明したように本実施例によれば、噴射弁４から燃料を噴射した後の、触媒３の温度の上昇量に基づいて燃料の蒸留性状（Ｔ９０）を算出することができる。これにより、内燃機関１の燃焼状態を適正化することができる。
【実施例２】
【００５１】
本実施例では、Ｔ９０の高い燃料を用いると、噴射弁４から噴射を開始した後の触媒３の温度の上昇度合いが高くなることに着目して燃料の蒸留性状を判定する。その他の装置などは実施例１と同じため、説明を省略する。
【００５２】
ここで、Ｔ９０の低い燃料は、噴射弁４から噴射された後にすぐに気化してしまうため、触媒３ですぐに反応する。このため、燃料噴射直後の触媒３の温度上昇度合いが高い。
【００５３】
一方、Ｔ９０の高い燃料は、噴射弁４から噴射されてもすぐには気化しないため、一部が液滴のまま触媒３に到達したり、排気通路２の壁面に付着したりする。このため、燃料が触媒３ですぐに反応しないため、燃料噴射直後の該触媒３の温度上昇度合いが低い。
【００５４】
このように、Ｔ９０が触媒３の温度上昇度合いとなって表れるため、該触媒３の温度上昇度合いに応じてＴ９０を求めることができる。
【００５５】
図８は、下流側温度センサ６と上流側温度センサ５との検出値の差（温度差ΔＴ１＝Ｔ１−ＴＢ）の推移を示すタイムチャートである。温度差ΔＴ１自体は図５と同じである。
【００５６】
本実施例では、図８の温度差ΔＴ１の軌跡と、燃料噴射開始前の温度差ΔＴ１で一定と仮定した値ΔＴ１Ｂと、で囲まれる面積ΔＴ１ＡＲを求める。これは、図８の斜線を施した部分の面積に相当する。なお、噴射弁４からの燃料噴射を開始した時刻ＴＩＳから、触媒３の温度が燃料噴射を開始する前に戻るまでの間の温度差ΔＴ１の積分値を求めても良い。そして、この面積ΔＴ１ＡＲの例えば１０％に相当する面積を求め、燃料噴射を開始してから面積ΔＴ１ＡＲの１０％に相当する面積に到達するまでの時刻ＴＩ１０を算出する。時刻ＴＩ１０と時刻ＴＩＳとの差は、触媒３の温度上昇度合いと相関関係にあるため、この差に基づいてＴ９０を求めることができる。
【００５７】
図９は、時刻ＴＩ１０と時刻ＴＩＳとの差（ＴＩ１０−ＴＩＳ）と、Ｔ９０との関係を示した図である。この関係は予め実験等により求めてＥＣＵ１０に記憶させておく。図９に示されるように、時刻ＴＩ１０と時刻ＴＩＳとの差が大きくなるほど、Ｔ９０が高くなるという関係がある。
【００５８】
すなわち、Ｔ９０が高いほど、液滴のまま触媒３に到達する燃料量や排気通路２の壁面に付着した後に触媒３に到達する燃料量が多くなるため、触媒３の温度上昇度合いが低くなる。このため、燃料噴射を開始してから面積ΔＴ１ＡＲの１０％に相当する面積に到達するまでに時間がかかる。すなわち、時刻ＴＩ１０と時刻ＴＩＳとの差が大きくなる。この関係に従えば、時刻ＴＩ１０と時刻ＴＩＳとの差からＴ９０を判定することができる。これは、触媒３よりも下流の排気の温度と触媒３よりも上流の排気の温度との差の上昇度合いが小さいほど、Ｔ９０の高い燃料であるといえる。
【００５９】
図１０は、本実施例に係る燃料の蒸留性状を検出するフローを示したフローチャートである。本ルーチンは所定の時間毎に繰り返し実行される。なお、図７に示したフローと同じ処理がなされるステップについては同じ符号を付して説明を省略する。
【００６０】
ステップＳ２０１では、温度差ΔＴ１の軌跡と、燃料噴射開始前の温度差ΔＴ１で一定と仮定した値ΔＴ１Ｂと、で囲まれる面積ΔＴ１ＡＲを求める。すなわち、図８の斜線を施した部分の面積ΔＴ１ＡＲを算出する。
【００６１】
ステップＳ２０２では、面積ΔＴ１ＡＲの１０％に到達する時刻ＴＩ１０を算出する。
【００６２】
ステップＳ２０３では、噴射弁４から燃料噴射が開始された時刻ＴＩＳからステップＳ２０２で算出される時刻までの時間（ＴＩ１０−ＴＩＳ）が算出される。
【００６３】
ステップＳ２０４では、ステップＳ２０３で算出される時間（ＴＩ１０−ＴＩＳ）と、
図９との関係に従って、Ｔ９０を算出する。なお、本実施例では時間（ＴＩ１０−ＴＩＳ）を算出するＥＣＵ１０が、本発明における検出手段に相当する。また、本実施例ではＴ９０を算出するＥＣＵ１０が、本発明における判定手段に相当する。このように、本実施例では、触媒３よりも下流の排気の温度と触媒３よりも上流の排気の温度との差から求まる触媒３の温度の上昇度合いを、噴射弁４から供給される燃料が触媒で反応する量と相関関係にある値として検出し、該値に基づいて燃料の蒸留性状を判定している。
【００６４】
このように、噴射弁４から噴射される燃料による触媒３の温度上昇度合いに基づいて、内燃機関１の燃焼室へ供給する燃料を制御することで、燃料の蒸留性状に応じた内燃機関１の制御が可能となる。
【００６５】
なお、本実施例では、時刻ＴＩ１０と時刻ＴＩＳとの差を、温度上昇度合いとして用いたが、これらの時刻は適宜変更することができる。すなわち、面積ΔＴ１ＡＲの１０％は例示であって、他の値にすることもできる。また、本実施例では、時刻ＴＩ１０と時刻ＴＩＳとの差（ＴＩ１０−ＴＩＳ）に基づいてＴ９０の判定を行っているが、触媒３の温度の上昇度合いを表す他の値を用いて判定を行っても良い。例えば、単位時間あたりの温度の上昇量（温度上昇率）を用いて判定しても良い。これは、例えば、燃料噴射開始時刻から規定時間経過後の上昇量（温度上昇率）であっても良い。また、規定時間経過後の温度差ΔＴ１を用いて判定することもできる。
【００６６】
以上説明したように本実施例によれば、噴射弁４から燃料を噴射した後の、触媒３の温度の上昇度合いに基づいて燃料の蒸留性状（Ｔ９０）を算出することができる。これにより、内燃機関１の燃焼状態を適正化することができる。
【実施例３】
【００６７】
本実施例では、Ｔ９０の高い燃料を供給したときには、触媒３の温度が燃料供給前よりも高くなっている時間が長い（温度上昇時間が長い）ことに着目して燃料の蒸留性状を判定する。その他の装置などは実施例１と同じため、説明を省略する。
【００６８】
ここで、Ｔ９０の低い燃料は、噴射弁４から噴射された後にすぐに気化してしまうため、触媒３ですぐに反応する。このため、触媒３の温度が燃料噴射前よりも高くなっている時間が短い（触媒３の温度上昇時間が短い）。
【００６９】
一方、Ｔ９０の高い燃料は、噴射弁４から噴射されてもすぐには気化しないため、一部が液滴のまま触媒３に到達したり、排気通路２の壁面に付着したりする。この触媒３や排気通路２の壁面に付着した燃料は、徐々に蒸発して触媒３で反応するため、触媒３の温度が燃料供給前よりも高くなっている時間が長い（温度上昇時間が長い）。
【００７０】
このように、Ｔ９０が、触媒３の温度が燃料供給前よりも高くなっている時間（温度上昇時間）となって表れるため、該温度上昇時間に応じてＴ９０を求めることができる。
【００７１】
図１１は、下流側温度センサ６と上流側温度センサ５との検出値の差（温度差ΔＴ１＝Ｔ１−ＴＢ）の推移を示すタイムチャートである。温度差ΔＴ１自体は図５と同じである。
【００７２】
本実施例では、図１１の温度差ΔＴ１の軌跡と、燃料噴射開始前の温度差ΔＴ１で一定と仮定した値ΔＴ１Ｂと、で囲まれる面積ΔＴ１ＡＲを求める。これは、図１１の斜線を施した部分の面積に相当する。なお、噴射弁４からの燃料噴射を開始した時刻ＴＩＳから、触媒３の温度が燃料噴射を開始する前に戻るまでの間の温度差ΔＴ１の積分値を求めても良い。そして、この面積ΔＴ１ＡＲの例えば１０％と９０％とに相当する面積を夫々求
め、面積ΔＴ１ＡＲの１０％に相当する面積に到達する時刻ＴＩ１０から、面積ΔＴ１ＡＲの９０％に相当する面積に到達する時刻ＴＩ９０までの時間（ＴＩ９０−ＴＩ１０）を算出する。この時間（ＴＩ９０−ＴＩ１０）は、触媒３の温度が燃料供給前よりも高くなっている時間（温度上昇時間）と相関関係にあるため、この時間（ＴＩ９０−ＴＩ１０）に基づいてＴ９０を求めることができる。
【００７３】
図１２は、時刻ＴＩ９０と時刻ＴＩ１０との差（ＴＩ９０−ＴＩ１０）と、Ｔ９０との関係を示した図である。この関係は予め実験等により求めてＥＣＵ１０に記憶させておく。図１２に示されるように、時間（ＴＩ９０−ＴＩ１０）が長くなるほど、Ｔ９０が高くなるという関係がある。
【００７４】
すなわち、Ｔ９０が高いほど、液滴のまま触媒３に到達する燃料量や排気通路２の壁面に付着した後に触媒３に到達する燃料量が多くなるため、触媒３の温度上昇時間が長くなる。このため、面積ΔＴ１ＡＲの１０％に到達する時刻ＴＩ１０から、面積ΔＴ１ＡＲの９０％に到達する時刻ＴＩ９０までの時間が長くなる。すなわち、時間（ＴＩ９０−ＴＩ１０）が長くなる。この関係に従えば、時間（ＴＩ９０−ＴＩ１０）からＴ９０を判定することができる。
【００７５】
図１３は、本実施例に係る燃料の蒸留性状を検出するフローを示したフローチャートである。本ルーチンは所定の時間毎に繰り返し実行される。なお、図７または図１０に示したフローと同じ処理がなされるステップについては同じ符号を付して説明を省略する。
【００７６】
ステップＳ３０１では、面積ΔＴ１ＡＲの１０％に到達する時刻ＴＩ１０及び面積ΔＴ１ＡＲの９０％に到達する時刻ＴＩ９０を算出する。
【００７７】
ステップＳ３０２では、面積ΔＴ１ＡＲの９０％に到達する時刻ＴＩ９０から面積ΔＴ１ＡＲの１０％に到達する時刻ＴＩ１０までの時間（ＴＩ９０−ＴＩ１０）が算出される。
【００７８】
ステップＳ３０３では、ステップＳ３０２で算出される時間（ＴＩ９０−ＴＩ１０）と、図１２との関係に従って、Ｔ９０を算出する。なお、本実施例では時間（ＴＩ９０−ＴＩ１０）を算出するＥＣＵ１０が、本発明における検出手段に相当する。また、本実施例ではＴ９０を算出するＥＣＵ１０が、本発明における判定手段に相当する。このように、本実施例では、触媒３よりも下流の排気の温度と触媒３よりも上流の排気の温度との差から求まる触媒３の温度が上昇している時間を、噴射弁４から供給される燃料が触媒で反応する量と相関関係にある値として検出し、該値に基づいて燃料の蒸留性状を判定している。
【００７９】
このように、噴射弁４から噴射される燃料による触媒３の温度上昇時間に基づいて、内燃機関１の燃焼室へ供給する燃料を制御することで、燃料の蒸留性状に応じた内燃機関１の制御が可能となる。
【００８０】
なお、本実施例では、時刻ＴＩ９０と時刻ＴＩ１０との差を、温度上昇時間として用いたが、これらの時刻は適宜変更することができる。すなわち、面積ΔＴ１ＡＲの１０％及び９０％は例示であって、他の値にすることもできる。また、本実施例では、時刻ＴＩ９０と時刻ＴＩ１０との差（ＴＩ９０−ＴＩ１０）に基づいてＴ９０の判定を行っているが、温度差ΔＴ１が規定値以上となってから規定値以下となるまでの時間を用いて判定を行うこともできる。
【００８１】
以上説明したように本実施例によれば、噴射弁４から燃料を噴射した後の、触媒３の温
度の上昇時間に基づいて燃料の蒸留性状（Ｔ９０）を算出することができる。これにより、内燃機関１の燃焼状態を適正化することができる。
【符号の説明】
【００８２】
１     内燃機関
２     排気通路
３     触媒
４     噴射弁
５     上流側温度センサ
６     下流側温度センサ
１０   ＥＣＵ
１１   アクセルペダル
１２   アクセル開度センサ
１３   クランクポジションセンサ
【図１】
0005477031.tif 000002
【図２】
0005477031.tif 000003
【図３】
0005477031.tif 000004
【図４】
0005477031.tif 000005
【図５】
0005477031.tif 000006
【図６】
0005477031.tif 000007
【図７】
0005477031.tif 000008
【図８】
0005477031.tif 000009
【図９】
0005477031.tif 000010
【図１０】
0005477031.tif 000011
【図１１】
0005477031.tif 000012
【図１２】
0005477031.tif 000013
【図１３】
0005477031.tif 000014